(57)【要約】【課題】  画像データの処理の誤りを低減する。【解決手段】  原稿にＲＦＩＤ発信器を取り付けておく。複合機１０は、スキャン部を介して、原稿を読み取り、画像データを取得する。ＲＦＩＤ通信部を介して、ＲＦＩＤ発信器と通信することにより、ＲＦＩＤデータを取得する。RFIDデータ−原稿内容情報対応テーブルから、上記取得したＲＦＩＤデータに対応する原稿内容情報を取得し、画像データ、ＲＦＩＤデータ、及び原稿内容情報の各データを対応づけて記憶する。複合機１０は、対応づけた各データを、対応づけた状態で、Webサーバ１２に送信する。【選択図】        図１
2005339475.tif 000002
【特許請求の範囲】
【請求項１】
画像データを取得する対象であって、該対象を識別する識別情報を発信する発信器が対応付けられた該対象の画像データを取得する取得手段と、
前記発信機と通信することにより前記識別情報を取得する通信手段と、
前記取得された前記画像データと、前記通信手段より取得された前記識別情報と、を対応付ける対応付け手段と、
を備えた画像データ取得処理装置。
【請求項２】
前記画像データと前記識別情報とを対応づけた状態で記憶する記憶手段を更に備えたことを特徴とする請求項１記載の画像データ取得処理装置。
【請求項３】
対象を識別する識別情報を入力する入力手段と、
前記入力された前記識別情報に対応する前記画像データを前記記憶手段から検索する検索手段と、
を更に備えた請求項２記載の画像データ取得処理装置。
【請求項４】
画像データを取得する対象であって、該対象に関連する情報を発信する発信器が対応付けられた該対象の画像データを取得する取得手段と、
前記発信機と通信することにより前記対象に関連する情報を取得する通信手段と、
前記取得された前記画像データと、前記通信手段より取得された前記対象に関連する情報と、を対応付ける対応付け手段と、
を備えた画像データ取得処理装置。
【請求項５】
前記画像データと前記対象に関連する情報とを対応づけた状態で記憶する記憶手段を更に備えたことを特徴とする請求項４記載の画像データ取得処理装置。
【請求項６】
対象に関連する情報を入力する入力手段と、
前記入力された前記対象に関連する情報に対応する前記画像データを前記記憶手段から検索する検索手段と、
を更に備えた請求項５記載の画像データ取得処理装置。
【請求項７】
前記識別情報と前記対象に関連する情報とを対応して記憶する対応記憶手段と、
前記通信手段より取得された前記識別情報に対応する前記対象に関連する情報を前記対応記憶手段から検出する検出手段と、
を更に備え、
前記対応付け手段は、前記取得された前記画像データ、前記通信手段より取得された前記識別情報、及び前記検出された前記対象に関連する情報を対応付ける、
ことを特徴とする請求項１または４記載の画像データ取得処理装置。
【請求項８】
前記対応付けられた前記画像データ、前記識別情報、及び前記対象に関連する情報を対応づけた状態で記憶する記憶手段を更に備えたことを特徴とする請求項７記載の画像データ取得処理装置。
【請求項９】
対象を識別する識別情報及び対象に関連する情報の少なくとも一方を入力する入力手段と、
前記入力された情報に対応する前記画像データを前記記憶手段から検索する検索手段と、
を更に備えた請求項８記載の画像データ取得処理装置。
【請求項１０】
前記画像データと該画像データに対応する情報とを対応づけた状態で出力する出力手段を更に備えたことを特徴とする請求項１乃至請求項９の何れか１項に記載の画像データ取得処理装置。
【請求項１１】
画像データを取得する対象であって、該対象を識別する識別情報を発信する発信器が対応付けられた該対象の画像データを取得する取得手段と、
前記発信機と通信することにより前記識別情報を取得する通信手段と、
対象を識別する識別情報と該識別情報により識別される対象の画像データに対応する処理とを対応して記憶する記憶手段と、
前記通信手段より取得された前記識別情報により識別される前記処理を前記記憶手段から取り込む取込手段と、
前記取得された前記画像データに対応して、前記取り込まれた処理を実行する処理実行手段と、
を備えた画像データ取得処理装置。
【請求項１２】
前記記憶手段は、前記識別情報と前記処理とを対応させた指示記述を記憶すること、又は、前記識別情報と前記処理を指示する指示記述とを対応して記憶することにより、前記識別情報と前記処理と対応して記憶することを特徴とする請求項１１記載の画像データ取得処理装置。
【請求項１３】
請求項１０記載の画像データ取得処理装置の出力手段により出力された前記画像データ及び該画像データに対応する情報を入力する入力手段と、
前記画像データと前記画像データに対応する情報とを対応づけた状態で記憶する記憶手段と、
を備えた画像データ入力処理装置。
【請求項１４】
画像データに対応する情報を入力する情報入力手段と、
前記入力された前記情報に対応する前記画像データを前記記憶手段から検索する検索手段と、
を更に備えた請求項１３記載の画像データ入力処理装置。
【請求項１５】
前記画像データに対応して所定の処理を実行する処理実行手段を更に備えた請求項１４記載の画像データ入力処理装置。
【請求項１６】
前記画像データに対応する情報は前記対象が著作権の対象であることを示す情報であり、
前記処理実行手段は、前記画像データの入力回数を計数すること、
を特徴とする請求項１５記載の画像データ入力処理装置。
【請求項１７】
前記処理実行手段が実行する前記処理は、前記画像データと該画像データに対応する情報とを対応づけた状態で出力すると共に、出力先に前記画像データの入力回数の計数命令を出力することであることを特徴とする請求項１６記載の画像データ入力処理装置。
【請求項１８】
請求項１７記載の画像データ取得処理装置の前記処理実行手段による前記処理の実行により出力された前記画像データ及び該画像データに対応する情報と、前記計数命令と、を入力する入力手段と、
前記入力された前記計数命令に応じて、前記画像データの入力回数を計数する計数手段と、
を備えた画像データ入力処理装置。
【請求項１９】
前記画像データに対応する情報は前記対象が著作権の対象であることを示す情報であることを特徴とする請求項１８記載の画像データ入力処理装置。
【発明の詳細な説明】
【技術分野】
【０００１】
本発明は、画像データ取得処理装置及び画像データ入力処理装置にかかり、特に、画像データ取得処理装置及び画像データ入力処理装置に関する。
【背景技術】
【０００２】
従来、書類などを画像入力装置を用いて読み取ることにより、該書類の画像データを取得し、取得した画像データを計算機システムに送信し、計算機システムにおいて、通信・蓄積・検索・配布等に供することは広く行われている。
【０００３】
しかしながら、このようなシステムでは、後に画像データを必要となった場合に備えて、何の画像なのかを示す情報を別途入力しなければならず、入力ミスにともなう不適切な処理が画像データになされる可能性があった。
【０００４】
なお、関連技術として、書類の管理を用紙自身に付した識別子を用いて、書類を用紙レベルで識別して管理する紙製品、書類管理方法、督類管理システム、事務用品および事務機器（特許文献１参照。）や、個別情報を電子的に保持して電磁誘導により非接触で情報伝達するID素子RFID(Radio Frequency-Identification）技術が開発され、物の識別のために応用することが提案されている（非特許文献１参照。）。
【特許文献１】特開2002−120475号公報
【非特許文献１】情報処理学会誌40巻8号p846〜850（1999年8月）
【発明の開示】
【発明が解決しようとする課題】
【０００５】
本発明は、上記事実に鑑み成されたもので、画像データの処理の誤りを低減することの可能な画像データ取得処理装置及び画像データ入力処理装置の提供を目的とする。
【課題を解決するための手段】
【０００６】
上記目的を達成するために請求項１に記載の発明にかかる画像データ取得処理装置は、画像データを取得する対象であって、該対象を識別する識別情報を電波で発信する発信器が対応付けられた該対象の画像データを取得する取得手段と、前記発信機と通信することにより前記識別情報を取得する通信手段と、前記取得された前記画像データと、前記通信手段より取得された前記識別情報と、を対応付ける対応付け手段と、を備えている。
【０００７】
即ち、取得手段は、対象の画像データを取得する。
【０００８】
ここで、本発明では、該対象には、該対象を識別する識別情報を電波で発信する発信器が対応付けられている。
【０００９】
通信手段は、発信機と通信することにより識別情報を取得する。
【００１０】
そして、対応付け手段は、取得された前記画像データと、前記通信手段より取得された前記識別情報と、を対応付ける。
【００１１】
このように、データを取得する対象に、該対象を識別する識別情報を電波で発信する発信器が対応付けられ、該対象の画像データと、該対象を識別する識別情報と、を対応付けているので、画像データを処理する際に、該画像データを識別情報により識別することができ、画像データの処理の誤りを低減することができる。
【００１２】
請求項２のように、前記対応付けられた前記画像データと前記識別情報とを対応づけた状態で記憶する記憶手段を備えるようにしてもよい。そして、請求項３のように、対象を識別する識別情報を入力する入力手段と、前記入力された前記識別情報に対応する前記画像データを前記記憶手段から検索する検索手段と、を更に備えるようにしてもよい。
【００１３】
請求項４に記載の発明にかかる画像データ取得処理装置は、画像データを取得する対象であって、該対象に関連する情報を発信する発信器が対応付けられた該対象の画像データを取得する取得手段と、前記発信機と通信することにより前記対象に関連する情報を取得する通信手段と、前記取得された前記画像データと、前記通信手段より取得された前記対象に関連する情報と、を対応付ける対応付け手段と、を備えている。
【００１４】
取得手段は、画像データを取得する対象であって、該対象に関連する情報を発信する発信器が対応付けられた該対象の画像データを取得する。
【００１５】
通信手段は、発信機と通信することにより対象に関連する情報を取得する。
【００１６】
対応付け手段は、取得された画像データと、通信手段より取得された対象に関連する情報と、を対応付ける。
【００１７】
ここで、請求項５のように、画像データと対象に関連する情報とを対応づけた状態で記憶する記憶手段を更に備えるようにしてもよい。
【００１８】
請求項６のように、対象に関連する情報を入力する入力手段と、前記入力された前記対象に関連する情報に対応する前記画像データを前記記憶手段から検索する検索手段と、を更に備えるようにしてもよい。
【００１９】
また、請求項７のように、前記識別情報と前記対象に関連する情報とを対応して記憶する対応記憶手段と、前記通信手段より取得された前記識別情報に対応する前記対象に関連する情報を前記対応記憶手段から検出する検出手段と、を更に備え、前記対応付け手段は、前記取得された前記画像データ、前記通信手段より取得された前記識別情報、及び前記検出された前記対象に関連する情報を対応付けるようにしてもよい。そして、請求項８のように、前記対応付けられた前記画像データ、前記識別情報、及び前記対象に関連する情報を対応づけた状態で記憶する記憶手段を更に備えるようにしてもよい。更に、請求項９のように、対象を識別する識別情報及び対象に関連する情報の少なくとも一方を入力する入力手段と、前記入力された情報に対応する前記画像データを前記記憶手段から検索する検索手段と、を更に備えるようにしてもよい。
【００２０】
請求項１０記載の発明は、請求項１乃至請求項９の何れか１項に記載の発明において、前記画像データと該画像データに対応する情報とを対応づけた状態で出力する出力手段を更に備えている。
【００２１】
ここで、上記出力は、例えば、表示出力や所定の出力先への送信などがある。
【００２２】
また、上記出力手段が出力される、画像データに対応する情報には、前記発信機と通信することにより前記識別情報や、前記識別情報に対応する前記対象に関連する情報がある。
【００２３】
請求項１１記載の発明にかかる画像データ取得処理装置は、画像データを取得する対象であって、該対象を識別する識別情報を電波で発信する発信器が対応付けられた該対象の画像データを取得する取得手段と、前記発信機と通信することにより前記識別情報を取得する通信手段と、対象を識別する識別情報と該識別情報により識別される対象の画像データに対応する処理とを対応して記憶する記憶手段と、前記通信手段より取得された前記識別情報により識別される前記処理を前記記憶手段から取り込む取込手段と、前記取得された前記画像データに対応して、前記取り込まれた処理を実行する処理実行手段と、を備えている。
【００２４】
ここで、取得手段及び通信手段は、上記発明と同様であるので、その説明を省略する。
【００２５】
記憶手段は、対象を識別する識別情報と該識別情報により識別される対象の画像データに対応する処理とを対応して記憶する。
【００２６】
なお、記憶手段は、請求項１２のように、前記識別情報と前記処理とを対応させた指示記述を記憶すること、又は、前記識別情報と前記処理を指示する指示記述とを対応して記憶することにより、前記識別情報と前記処理と対応して記憶するようにしてもよい。
【００２７】
そして、取込手段は、前記通信手段より取得された前記識別情報により識別される前記処理を前記記憶手段から取り込み、処理実行手段は、前記取得された前記画像データに対応して、前記取り込まれた処理を実行する。
【００２８】
このように、対象の画像データに対応して、該対象を識別する識別情報に対応する処理を実行するので、画像データに対応して適切な処理を実行することができる。
【００２９】
なお、上記識別情報は、電波方式により通信することで送受信することができる認識情報（RFID(Radio Frequency-Identification情報)としてもよい。
【００３０】
請求項１３記載の発明にかかる画像データ入力処理装置は、請求項１０記載の画像データ取得処理装置の出力手段により出力された前記画像データ及び該画像データに対応する情報を入力する入力手段と、前記画像データと前記画像データに対応する情報とを対応づけた状態で記憶する記憶手段と、を備えている。
【００３１】
即ち、請求項１０記載の画像データ取得処理装置の出力手段は、前記画像データと前記画像データに対応する情報とを対応づけた状態で出力する。本発明の入力手段は、前記画像データと前記画像データに対応する情報とを対応づけた状態で入力する。
【００３２】
そして、記憶手段は、前記画像データと前記画像データに対応する情報とを対応づけた状態で記憶する。
【００３３】
このように、画像データと画像データに対応する情報とを対応づけた状態で記憶するので、画像データを適切に記憶することができる。
【００３４】
この場合、請求項１４記載の発明のように、画像データに対応する情報を入力する情報入力手段と、前記入力された前記情報に対応する前記画像データを前記記憶手段から検索する検索手段と、を更に備えるようにしてもよい。上記のように、画像データを適切に記憶するので、画像データを適切に検索することができる。
【００３５】
ここで、請求項１５のように、前記画像データに対応して所定の処理を実行する処理実行手段を更に備えるようにしてもよい。この場合も、画像データを適切に記憶するので、前記画像データに対応して所定の処理を適切に実行することができる。
【００３６】
なお、具体的には、請求項１６のように、前記画像データに対応する情報は前記対象が著作権の対象であることを示す情報であり、前記処理実行手段は、前記画像データの入力回数を計数することとしてもよい。
【００３７】
ところで、請求項１６記載の発明においては、前記処理実行手段が実行する前記処理は、請求項１７のように、前記画像データと該画像データに対応する情報とを対応づけた状態で出力すると共に、出力先に前記画像データの入力回数の計数を命令を出力することとしてもよい。
【００３８】
この場合、請求項１８のように、請求項１７記載の画像データ取得処理装置の前記処理実行手段による前記処理の実行により出力された前記画像データ及び該画像データに対応する情報と、前記命令と、を入力する入力手段と、前記入力された前記命令に応じて、前記画像データの入力回数を計数する計数手段と、を備えるようにしてもよい。
【００３９】
そして、請求項１９のように、前記画像データに対応する情報は前記対象が著作権の対象であることを示す情報としてもよい。
【発明の効果】
【００４０】
以上説明したように本発明によれば、データを取得する対象に、該対象を識別する識別情報を発信する発信器が対応付けられ、該対象の画像データと、該対象を識別する識別情報と、を対応付けているので、画像データを処理する際に、該画像データが識別情報により識別することができ、画像データの処理の誤りを低減することができる、という効果がある。
【００４１】
また、本発明によれば、画像データと画像データに対応する情報とを対応づけた状態で記憶するので、画像データを適切に記憶することができる、という効果がある。
【００４２】
更に、本発明は、画像データと画像データに対応する情報とを対応づけた状態で記憶するので、画像データを適切に記憶することができる、という効果がある。
【発明を実施するための最良の形態】
【００４３】
（第１の実施の形態）
以下、図面を参照して、本発明の第１の実施の形態を詳細に説明する。
【００４４】
図１に示すように、本実施の形態にかかる画像データ処理システムは、画像データ取得処理装置としての複合機１０と、画像データ入力処理装置としてのWebサーバ１２と、を備えている。なお、複合機１０とWebサーバ１２とは、インターネット接続線１４を介して接続されている。
【００４５】
図２に示すように、複合機１０は、ＣＰＵ２０、ＲＯＭ２２、ＲＡＭ２４、記憶手段及び対応記憶手段としての後述するテーブルを記憶する記憶装置２６、入力部及び表示部で構成された、出力手段としての入出力部２８、プリント部３０、取得手段としてのスキャン部３２、インターネット接続線１４に接続された、出力手段としての通信部３４、通信手段としてのＲＦＩＤ通信部３６を、バス３８を介して相互に接続可能に、備えている。
【００４６】
なお、ＲＯＭ２２には、後述する原稿画像読取処理プログラム（図８参照）、第１の画像データ検索プログラム（図１０参照）、第２の画像データ検索プログラム（図１１参照）が記憶されている。
【００４７】
図３に示すように、本実施の形態では、スキャン部３２によりスキャンされ、画像データを取得する対象としての原稿４０は、該原稿４０を識別する識別情報（ＲＦＩＤデータ）と該原稿の内容情報とを記憶するＩＣチップが埋め込まれており、さらに該記憶された識別情報や原稿内容情報を電波で発信する発信器としてのＲＦＩＤ発信器４２が対応付けられている。本実施の形態では、ＲＦＩＤ発信器４２は原稿４０に取り付けられている。
【００４８】
図４に示すように、Webサーバ１２は、ＣＰＵ５０、ＲＯＭ５２、ＲＡＭ５４、記憶手段及び対応記憶手段としての後述するテーブルを記憶する記憶装置５６、インターネット接続線１４に接続された、入力手段としての通信部５８、及び入力部及び表示部で構成された入出力部６０を、バス６４を介して相互に接続可能に、備えている。
【００４９】
なお、ＲＯＭ５２には、後述する画像データ処理プログラム（図９参照）、第１の画像データ検索プログラム（図１０参照）、第２の画像データ検索プログラム（図１１参照）が記憶されている。
【００５０】
図５には、複合機１０が記憶する、記憶手段としてのRFIDデータ−原稿内容情報対応テーブルが示されている。このRFIDデータ−原稿内容情報対応テーブルは、RFIDデータと、原稿の情報としての原稿の内容を表す原稿内容情報と、を対応して複数記憶するテーブルである。なお、原稿内容情報としては、例えば、原稿に関連する情報である、原稿の種別、案件の名称、原稿のタイトル、原稿の要約情報、原稿の目次情報等がある。
【００５１】
図６には、複合機１０及びWebサーバ１２が記憶する対応記憶手段としてのRFIDデータ−原稿内容情報−画像データ対応テーブルが示されている。RFIDデータ−原稿内容情報−画像データ対応テーブルは、RFIDデータ、原稿内容情報、及び画像データを対応して複数記憶するためのテーブルである。
【００５２】
図７には、Webサーバ１２が記憶する著作物利用回数計数テーブルが示されている。著作物利用回数計数テーブルは、原稿内容情報中の著作物の情報と、該著作物の画像データを複合機１０が送信した送信回数と、を記憶するテーブルである。
【００５３】
次に、本実施の形態の作用を説明する。
【００５４】
図８には、複合機１０が実行する原稿画像読取処理プログラムを示すフローチャートが示されている。
【００５５】
ユーザが、複合機１０の図示しない載置台に原稿４０を載置し、入出力部２８の図示しない原稿読取ボタンをオンしたとき、原稿画像読取処理プログラムはスタートし、ステップ７２で、スキャン部３２を介して、原稿４０を読み取り、画像データを取得する。ステップ７４で、ＲＦＩＤ通信部３６を介して、ＲＦＩＤ発信機４２と通信することにより、ＲＦＩＤデータを取得する。
【００５６】
ステップ７６で、ＲＦＩＤ通信部３６を介して、ＲＦＩＤ発信機４２と通信することにより、原稿に埋め込まれたＩＣチップに記憶された原稿内容情報を取得し、RFIDデータ−原稿内容情報対応テーブル（図５参照）に該取得した情報を上記取得したＲＦＩＤデータと対応させて書き込む。ステップ７８で、画像データ、ＲＦＩＤデータ、及び原稿内容情報の各データを対応づけ、ステップ８０で、画像データ、ＲＦＩＤデータ、及び原稿内容情報の各データを対応づけた状態で記憶する。例えば、図６に示すように、各データを、RFIDデータ−原稿内容情報−画像データ対応テーブルに表形式で記憶する。なお、取得した原稿画像データを記憶する際に、取得したＲＦＩＤデータや原稿内容情報を画像情報に変換し、前記取得した原稿画像データに合成して記憶させるようにしてもよい。この態様としては、電子透かしやデジタルウォーターマークの技術を用いて人間には視覚識別困難なように合成してもよいし、バーコードや文字情報として前記取得した原稿画像データに合成してもよい。このように原稿画像データにＲＦＩＤ情報や原稿内容情報を埋め込むことにより、ＲＦＩＤ通信装置のない環境でも画像解析を行うことによりＲＦＩＤ情報や原稿内容情報を取り出し、原稿画像データの検索などに利用することが可能となる。
【００５７】
なお、ＲＦＩＤデータ及び原稿内容情報を、入出力部２８の上記表示部に表示し、ユーザに確認を求めるようにしてもよい。
【００５８】
ステップ８２で、対応づけた各データを、対応づけた状態で、Webサーバ１２に送信する。なお、送信方法は、例えば、ＲＦＣ２５１８に規定されるＷｅｂＤＡＶプロトコルや、ＳＯＡＰ１．２のＡｔｔａｃｈｍｅｎｔ・Ｆｅａｔｕｒｅを使ったプロトコルでもよい。なお、これらに限定されるものではない。
【００５９】
図９には、Webサーバ１２が実行する画像データ処理プログラムを示すフローチャートが示されている。上記のように複合機１０から上記各データ送信され、Webサーバ１２がこれを入力したとき、本画像データ処理プログラムがスタートする。
【００６０】
本画像データ処理プログラムがスタートすると、ステップ９２で、各データを、上記のように対応付け、ステップ９４で、各データを記憶する。上記のように、例えば、図６に示すように、各データを、RFIDデータ−原稿内容情報−画像データ対応テーブルに表形式で記憶する。なお、この場合も、ＴＩＦＦフォーマットなどで、画像データ中にＲＦＩＤデータ及び原稿内容情報をはめ込むことにより対応づけるようにしてもよい。
【００６１】
ステップ９６で、上記原稿内容情報に基づいて、画像データが著作物にかかわるものか否かを判断する。原稿内容情報が著作物の情報でない場合には、本プログラムを終了し、原稿内容情報が著作物の情報の場合には、ステップ９８で、上記画像データ著作物利用回数計数テーブル（図７）を利用して、原稿内容情報が著作物の情報、例えば、著作物１等に対応する送信回数に１加算し、ステップ１００で、加算した送信回数を記憶（上書き）する。
【００６２】
このように、原稿にＲＦＩＤ発信器を取り付け、原稿の画像データと、該原稿を識別するＲＦＩＤデータと、を取得して対応付けているので、画像データを処理する際に、該画像データが識別情報により識別することができ、画像データの処理の誤りを低減することができる。
【００６３】
次に、画像データの処理の一例として、画像データの検索を説明する。
【００６４】
図１０には、複合機１０及びWebサーバ１２が実行する第１の画像データ検索プログラムを示すフローチャートが示されている。なお、以下、Webサーバ１２における例を代表として説明する。なお、複合機１０における処理はこれと同様であるので、その説明を省略する。
【００６５】
ユーザがWebサーバ１２における入出力部６０を介して図示しないネットワークを介して接続されるクライアント端末上に表示されるＷＥＢブラウザに表示された検索画面の第１の画像データ検索ボタンをオンしたとき、本第１の画像データ検索プログラムがスタートする。本第１の画像データ検索プログラムがスタートすると、ステップ１０２で、ＲＦＩＤデータの入力画面を前記検索画面に表示させ、ユーザにＲＦＩＤデータの入力を促し、ユーザにより入力されたＲＦＩＤを指定する情報に基づき、検索処理を実行する。
【００６６】
ステップ１０４で、入力されたＲＦＩＤデータに対応する画像データを、RFIDデータ−原稿内容情報−画像データ対応テーブル（図６）から検索する。そして、ステップ１０６で、上記検索された画像データを、入出力部６０における図示しない上記クライアント端末に表示する。
【００６７】
図１１には、複合機１０及びWebサーバ１２が実行し、原稿内容情報をキーワードとする第２の画像データ検索プログラムを示すフローチャートが示されている。なお、以下、Webサーバ１２における例を代表として説明する。なお、複合機１０における処理はこれと同様であるので、その説明を省略する。
【００６８】
ユーザがWebサーバ１２における入出力部６０を介して図示しないネットワークを介して接続されるクライアント端末上に表示されるＷＥＢブラウザに表示された検索画面の第２の画像データ検索ボタンをオンしたとき、本第２の画像データ検索プログラムがスタートする。本第２の画像データ検索プログラムがスタートすると、ステップ１０８で、原稿内容情報の入力処理を実行する。即ち、例えば、RFIDデータ−原稿内容情報−画像データ対応テーブル（図６）から、記憶された全ての原稿内容情報を上記表示部に一覧表示し、この一覧表示された原稿内容情報の中から、ユーザが所望の原稿内容情報を、表示部にタッチすることにより選択して、原稿内容情報を入力する。
【００６９】
ステップ１１０で、入力された原稿内容情報に対応する画像データを、RFIDデータ−原稿内容情報−画像データ対応テーブル（図６）から検索する。そして、ステップ１１２で、上記検索された画像データを、入出力部６０における図示しない上記表示部に表示する。
【００７０】
以上説明した画像データの検索はＲＦＩＤデータまたは原稿内容情報をキーワードとするものであるが、本発明はこれに限定されるものではなく、同じ検索画面にＲＦＩＤデータ入力部と原稿内容情報入力部を設け、どちらの情報をキーワードとすることができるものでもよい。
【００７１】
以上説明したように、RFIDデータ、原稿内容情報、及び画像データを対応付けているので、画像データを検索する際に、該画像データが、RFIDデータ、原稿内容情報により識別することができ、画像データの検索処理の誤りを低減することができる。
（第２の実施の形態）
次に、本発明の第２の実施の形態を説明する。
【００７２】
図１２に示すように、第２の実施の形態の画像データ処理システムは、画像データ取得処理装置としての画像入力装置１２０と、複数、例として２つのサーバ１２２、１２４と、を備えている。画像入力装置１２０とサーバ１２２、１２４とは、インターネット接続線１２６を介して接続されている。
【００７３】
図１３に示すように、画像入力装置１２０は、ＣＰＵ１３２、ＲＯＭ１３４、ＲＡＭ１３６、記憶手段としての記憶装置１３８、取得手段としてのスキャン部１４０、インターネット接続線１２６に接続された、出力手段としての通信部１４２、通信手段としてのＲＦＩＤ通信部１４４、及び、入力部及び表示部で構成された、出力手段としての入出力部１４６、をバス１４８を介して相互に接続可能に、備えている。
【００７４】
なお、ＲＯＭ１３４には、後述する原稿画像読取処理プログラム（図１６、図１８参照）が記憶されている。
【００７５】
次に、サーバ１２２、１２４の構成を説明するが、各々同一の構成であるので、サーバ１２２の構成を説明し、サーバ１２４の構成の説明は省略する。
【００７６】
図１４に示すように、サーバ１２２は、ＣＰＵ１５２、ＲＯＭ１５４、ＲＡＭ１５６、入力部及び表示部で構成された入出力部１５８、記憶装置１６０、インターネット接続線１２６に接続された、及び入力手段としての通信部１６２を、バス１６６を介して相互に接続可能に、備えている。
【００７７】
図１５に示すように、記憶装置１３８には、原稿を識別する識別情報としてのＲＦＩＤデータと該ＲＦＩＤデータにより識別される原稿の画像データに対応する処理とが対応して記憶されている。即ち、本実施の形態では、ＲＦＩＤデータと該処理とを対応させた指示記述としてのスクリプトが記憶されている。例えば、図１５に示す例では、ＲＦＩＤデータとしての１と該ＲＦＩＤデータ（１）により識別される原稿の画像データに対応する処理として処理１（対応付け記憶処理）とが対応して記憶され、ＲＦＩＤデータとしての２と該ＲＦＩＤデータ（２）により識別される原稿の画像データに対応する処理として処理２（稟議処理）とが対応して記憶さている。
【００７８】
次に、本実施の形態の作用を説明する。
【００７９】
図１６には、画像入力装置１２０が実行する原稿画像読取処理プログラムを示すフローチャートが示されている。
【００８０】
ユーザが、画像入力装置１２０の図示しない載置台に原稿４０を載置し、入出力部１４６の図示しない原稿読取ボタンをオンしたとき、原稿画像読取処理プログラムはスタートし、ステップ２０２で、スキャン部１４０を介して、原稿４０を読み取り、画像データを取得する。ステップ２０４で、ＲＦＩＤ通信部１４４を介して、ＲＦＩＤ発信機４２と通信することにより、ＲＦＩＤデータを取得する。
【００８１】
ステップ２０６で、画像データ及びＲＦＩＤデータの各データを対応づけ、ステップ２０８で、上記のように対応づけた状態で、画像データ及びＲＦＩＤデータを記憶する。なお、例えば、テーブルに表形式で記憶する。
【００８２】
なお、ＲＦＩＤデータを、入出力部１４６の上記表示部に表示し、ユーザに確認を求めるようにしてもよい。
【００８３】
ステップ２１０で、上記取得したＲＦＩＤデータが１であるか否かを判断する。ＲＦＩＤデータが１の場合には、該ＲＦＩＤデータ（１）により識別される原稿の画像データに対応する処理として記憶装置１３８に処理１（対応付け記憶処理）のスクリプトが記憶されているので、ステップ２１２で、処理１を実行する。
【００８４】
一方、ＲＦＩＤデータが１でない、即ち、２の場合には、ＲＦＩＤデータ（２）により識別される原稿の画像データに対応する処理として記憶装置１３８に処理２のスクリプトが記憶されているので、ステップ２１４で、処理２を実行する。
【００８５】
ここで、本実施の形態では、処理１、処理２はそれぞれ、サーバ１２２、サーバ１２４が具体的に実行することになっている。即ち、サーバ１２２は、ＲＦＩＤデータと画像データとを対応付けて記憶し、サーバ１２４は、画像データを稟議処理する。よって、ステップ２１２では、処理１をサーバ１２２に実行させるため、画像データ及びＲＦＩＤデータを対応させてサーバ１２２に送信する。また、ステップ２１４では、処理２をサーバ１２４に実行させるため、画像データをサーバ１２４に送信する。なお、送信方法は、例えば、ＲＦＣ２５１８に規定されるＷｅｂＤＡＶプロトコルや、ＳＯＡＰ１．２のＡｔｔａｃｈｍｅｎｔ・Ｆｅａｔｕｒｅを使ったプロトコルでもよい。なお、これらに限定されるものではない。
【００８６】
以上のように、画像データ及びＲＦＩＤデータを対応して受信したサーバ１２２は、画像データ及びＲＦＩＤデータを対応して記憶装置１６０に記憶する。なお、原稿内容情報も対応して記憶する場合には、画像入力装置１２０は、原稿を読み取った際に、上記のようにテーブルに、ＲＦＩＤデータに対応して原稿内容情報を記憶しておく。そして、画像入力装置１２０は、原稿内容情報、画像データ及びＲＦＩＤデータを対応してサーバ１２２に送信し、サーバ１２２は、原稿内容情報、画像データ及びＲＦＩＤデータを対応して記憶する。
【００８７】
また、画像データを受信したサーバ１２４は、画像データの稟議処理を実行する。即ち、図示しない、複数のクライアント各々に画像データを送信し、各クライアントからの応答（承認等）を受信し、画像入力装置１２０に結果を出力する。
【００８８】
以上説明した第２の実施の形態では、図１５に示すように、記憶装置１３８に、ＲＦＩＤデータと処理とを対応させたスクリプトを記憶しているが、本発明はこれに限定されるものではなく、図１７に示すように、RFIDデータ−スクリプト対応テーブルに、RFIDデータに対応して、処理を指示する指示記述としてのスクリプトを記憶するようにしてもよい。
【００８９】
図１８には、この場合の画像入力装置１２０が実行する原稿画像読取処理プログラムを示すフローチャートが示されている。
【００９０】
ユーザが上記のように図示しない原稿読取ボタンをオンしたとき、本原稿画像読取処理プログラムがスタートし、ステップ２２０で、スキャン部１４０を介して、原稿４０を読み取り、画像データを取得する。ステップ２２２で、ＲＦＩＤ通信部１４４を介して、ＲＦＩＤ発信機４２と通信することにより、ＲＦＩＤデータを取得する。
【００９１】
ステップ２２４で、画像データ及びＲＦＩＤデータの各データを対応づけ、ステップ２２６で、上記のように対応づけた状態で、画像データ及びＲＦＩＤデータを記憶する。なお、ＲＦＩＤデータを、入出力部１４６の上記表示部に表示し、ユーザに確認を求めるようにしてもよい。
【００９２】
ステップ２２８で、ＲＦＩＤデータに対応するスクリプトを取り込む。即ち、図１７に示すように、例えば、ＲＦＩＤデータが１の場合には、スクリプト１を取り込み、ＲＦＩＤデータが２の場合には、スクリプト２を取り込む。
【００９３】
そして、ステップ２３０で、取り込んだスクリプトを実行する。
【００９４】
スクリプト１が取り込まれ、上記処理１を指示している場合には、画像データ及びＲＦＩＤデータを対応してサーバ１２２に送信する。画像データ及びＲＦＩＤデータを対応して受信したサーバ１２２は、上記のように、画像データ及びＲＦＩＤデータを対応して記憶装置１６０に記憶する。なお、原稿内容情報も対応して記憶する場合には、上記のように、画像入力装置は、上記のようにテーブルに、ＲＦＩＤデータに対応して原稿内容情報を予め記憶し、原稿内容情報、画像データ及びＲＦＩＤデータを対応してサーバ１２２に送信し、サーバ１２２は、原稿内容情報、画像データ及びＲＦＩＤデータを対応して記憶する。
【００９５】
スクリプト２が取り込まれ、上記処理２を指示している場合には、画像データをサーバ１２４に送信する。なお、送信方法は、例えば、ＲＦＣ２５１８に規定されるＷｅｂＤＡＶプロトコルや、ＳＯＡＰ１．２のＡｔｔａｃｈｍｅｎｔ・Ｆｅａｔｕｒｅを使ったプロトコルでもよい。なお、これらに限定されるものではない。画像データを受信したサーバ１２４は、上記のように、画像データの稟議処理を実行する。
【００９６】
また、ＲＦＩＤデータ３に対応してスクリプト３が記憶され、該スクリプト３が、著作物の送信回数の計数処理の場合には、サーバ１２２、１２４の少なくとも一方に、画像データ及び該画像データに対応する情報（ＲＦＩＤデータ、原稿内容情報）と、計数命令と、を送信する。
【００９７】
このように、画像データ及び該画像データに対応する情報（ＲＦＩＤデータ、原稿内容情報）と、計数命令と、を入力したサーバ１２２、１２４の少なくとも一方は、入力して計数命令に応じて、画像データの入力回数を計数する。
（第３の実施の形態）
次に、本発明の第３の実施の形態を説明する。上記第１の実施の形態及び第２の実施の形態では、画像データを取得する対象は、原稿であり、ＲＦＩＤ発信機４２は原稿に取り付けられているが、本実施の形態では、図１９に示すように、画像データを取得する対象は、立体的な著作物２３２であり、ＲＦＩＤ発信機２３４は、著作物２３２から離間した位置に配置されている。そして、本実施の形態では、著作物２３２の画像データを、デジタルカメラ２３６により取得するものである。
【００９８】
図２０に示すように、デジタルカメラ２３６は、レンズ、ＣＣＤ等を備えた撮像部２４２、画像データを記憶する記憶装置２４４、通信手段としてのＲＦＩＤ通信部２４６、インターネットを介してサーバと無線通信する通信部２４８、ＣＰＵ２５０、ＲＯＭ２５２、ＲＡＭ２５４、シャッター等の操作部２５６、及び表示部２６８を、バス２６０を介して相互に接続可能に構成されている。
【００９９】
図２１には、デジタルカメラが実行する画像読取処理プログラムを示すフローチャートが示されている。
【０１００】
ユーザは、著作物２３２の画像データを取得する際、デジタルカメラ２３６を持って、ＲＦＩＤ発信器２３４と通信可能な領域まで来て、著作物２３２に向って撮影部２４２を向け、シャッターをオンする。このように、シャッターがオンされた場合、本画像読取処理プログラムがスタートし、ステップ２６２で、著作物２３２を撮像して、画像データを取得する。
【０１０１】
テップ２６４で、ＲＦＩＤ通信部２４６を介して、ＲＦＩＤ発信機２３４と通信することにより、ＲＦＩＤデータを取得する。
【０１０２】
ステップ２６６で、画像データ及びＲＦＩＤデータの各データを対応づけ、ステップ２６８で、上記のように対応づけた状態で、画像データ及びＲＦＩＤデータを記憶する。そして、ステップ２７０で、各データを、インターネットを介して、例えば、Webサーバ１２に送信する。これにより、Webサーバ１２は、画像データ及びＲＦＩＤデータを対応して記憶する。即ち、Webサーバ１２は、前述した第１の実施の形態における画像データ処理（図９）を実行する。
【０１０３】
なお、Webサーバ１２は、画像データの検索処理（図１０、図１１）を実行するようにしてもよい。
【０１０４】
また、デジタルカメラ２３６は、更に、前述した第１の実施の形態における画像データの検索処理（図１０、図１１）を実行するようにしてもよい。また、前述した第２の実施の形態における原稿画像読取処理プログラムにおけるステップ２１０〜２１４（図１６参照）や、ステップ２２８、２３０（図１８参照）を実行するようにしてもよい。
【図面の簡単な説明】
【０１０５】
【図１】第１の実施の形態の画像データ処理システムのブロックである。
【図２】複合機のブロックである。
【図３】ＲＦＩＤ発信器を備えた原稿を示した図である。
【図４】Webサーバのブロックである。
【図５】複合機が記憶するRFIDデータ−原稿内容情報対応テーブルを示す図である。
【図６】複合機及びWebサーバが記憶するRFIDデータ−原稿内容情報−画像データ対応テーブルを示す図である。
【図７】Webサーバが記憶する著作物利用回数計数テーブルを示す図である。
【図８】複合機が実行する原稿画像読取処理プログラムを示すフローチャートである。
【図９】Webサーバが実行する画像データ処理プログラムを示すフローチャートである。
【図１０】複合機及びWebサーバが実行する第１の画像データ検索プログラムを示すフローチャートである。
【図１１】複合機及びWebサーバが実行する第２の画像データ検索プログラムを示すフローチャートである。
【図１２】第２の実施の形態の画像データ処理システムのブロックである。
【図１３】画像入力装置のブロックである。
【図１４】サーバのブロックである。
【図１５】スクリプトの内容を示した概念図である。
【図１６】画像入力装置が実行する原稿画像読取処理プログラムを示すフローチャートである。
【図１７】第２の実施の形態の変形例におけるRFIDデータ−スクリプト対応テーブルを示す図である。
【図１８】第２の実施の形態の変形例における画像入力装置が実行する原稿画像読取処理プログラムを示すフローチャートである。
【図１９】第３の実施の形態の、ＲＦＩＤ発信器が対応づけられた著作物の画像データを取得するシステムのブロックである。
【図２０】デジタルカメラのブロックである。
【図２１】デジタルカメラが実行する画像読取処理プログラムを示すフローチャートである。
【符号の説明】
【０１０６】
１０    複合機（画像データ取得処理装置）
１２    Webサーバ（画像データ入力処理装置）
３２    スキャン部（読取手段）
３６    ＲＦＩＤ通信部（通信手段）
１２０    画像入力装置（画像データ取得処理装置）
１２２、１２４    サーバ（画像データ入力処理装置）
１４０    スキャン部（読取手段）
１４４    ＲＦＩＤ通信部（通信手段）
２３６    デジタルカメラ（画像データ取得処理装置）
【図１】
2005339475.tif 000003
【図２】
2005339475.tif 000004
【図３】
2005339475.tif 000005
【図４】
2005339475.tif 000006
【図５】
2005339475.tif 000007
【図６】
2005339475.tif 000008
【図７】
2005339475.tif 000009
【図８】
2005339475.tif 000010
【図９】
2005339475.tif 000011
【図１０】
2005339475.tif 000012
【図１１】
2005339475.tif 000013
【図１２】
2005339475.tif 000014
【図１３】
2005339475.tif 000015
【図１４】
2005339475.tif 000016
【図１５】
2005339475.tif 000017
【図１６】
2005339475.tif 000018
【図１７】
2005339475.tif 000019
【図１８】
2005339475.tif 000020
【図１９】
2005339475.tif 000021
【図２０】
2005339475.tif 000022
【図２１】
2005339475.tif 000023